【手続補正書】
【提出日】平成25年3月15日(2013.3.15)
【手続補正１】
【補正対象書類名】特許請求の範囲
【補正対象項目名】全文
【補正方法】変更
【補正の内容】
【特許請求の範囲】
【請求項１】
遠位端と、前記遠位端を貫通する開口を有する１つのルーメンとを有する細長い本体であり、栄養溶液を通すように前記ルーメンが構成された細長い本体と、
前記本体内に配置された光学システムであり、前記遠位端に隣接する組織を照らす照明構造と、前記遠位端に隣接する組織の画像を伝達する画像伝送構造とを備える光学システムとを備える栄養管。
【請求項２】
前記光学システムがカメラを備える、請求項１に記載の栄養管。
【請求項３】
前記光学システムが、複数の光ファイバ繊維と、前記光ファイバ繊維に取り付けられたレンズとを備える、請求項１に記載の栄養管。
【請求項４】
前記光学システムを有する前記ルーメンが開いた遠位端を有する、請求項１に記載の栄養管。
【請求項５】
前記細長い本体が、前記光学システムがその中に配置されたルーメンを有し、前記光学システムが、このルーメン内に配置されたレンズを有し、このルーメンがさらに、前記レンズに隣接して配置された、前記レンズを洗浄するための流体／空気ポートを備える、請求項４に記載の栄養管。
【請求項６】
前記流体ポートを形成するために、前記光学システムを有する前記ルーメンがさらに、前記光学システムの前記遠位端に隣接する結合剤を含む、請求項５に記載の栄養管。
【請求項７】
前記レンズに隣接して配置された偏向突起であり、前記レンズの上に流体流を誘導する偏向突起をさらに備える、請求項５に記載の栄養管。
【請求項８】
前記光学システムの前記遠位端が、前記栄養管の中心長軸に向かって偏向した、請求項５に記載の栄養管。
【請求項９】
前記光学システムの前記遠位端が、５度から４０度の間で偏向した、請求項８に記載の栄養管。
【請求項１０】
前記光学システムの前記遠位端が、１５度から２５度の間で偏向した、請求項９に記載の栄養管。
【請求項１１】
前記栄養管の前記遠位端に隣接して配置された固定装置であり、前記栄養管を胃腸管内に固定する固定装置をさらに備える、請求項１に記載の栄養管。
【請求項１２】
前記固定装置が多葉バルーンを備える、請求項１１に記載の栄養管。
【請求項１３】
前記固定装置が、前記栄養管の前記遠位端に取り付けられたステントを備える、請求項１１に記載の栄養管。
【請求項１４】
前記固定装置がコイルである、請求項１１に記載の栄養管。
【請求項１５】
前記細長い本体が外壁を有し、前記光学システムが前記外壁内に形成された、請求項１に記載の栄養管。
【請求項１６】
請求項１に記載の栄養管を備える栄養管配置システムであって、
前記栄養管内の前記光学システムと連絡した状態に配置されるように構成された光源と、前記光学システムの一部分と連絡した状態に配置されるように構成された画像レンダリング装置であり、前記レンズに隣接する構造の画像を受け取る画像レンダリング装置とを備える制御ユニット
をさらに備える栄養管配置システム。
【請求項１７】
前記制御ユニットが、前記画像レンダリング装置と連絡した状態に配置された表示画面を備える、請求項１６に記載の栄養管配置システム。
【請求項１８】
前記表示画面が調整可能である、請求項１７に記載の栄養管配置システム。
【請求項１９】
前記制御ユニットが舵取り装置を備える、請求項１６に記載の栄養管配置システム。
【請求項２０】
前記舵取り装置が引き金を備える、請求項１９に記載の栄養管配置システム。
【請求項２１】
前記光学システムが一対の突起を備え、前記突起を、前記光源および前記画像レンダリング装置と整列させるために、前記制御ユニットが、前記突起を受け取る、前記制御ユニットに形成された複数の穴を備える、請求項１６に記載の栄養管配置システム。
【請求項２２】
前記突起が、同心配列を提供するように構成された、請求項２１に記載の栄養管。
【請求項２３】
前記栄養管の近位端に配置されたアダプタをさらに備え、前記アダプタが、前記制御ユニットと係合するように構成されており、前記光学システムの前記突起が前記アダプタから延出した、請求項２２に記載の栄養管配置システム。
【請求項２４】
前記栄養管が舵取りワイヤを備え、前記舵取りワイヤが前記アダプタから延出し、前記制御ユニットが、前記栄養管の前記遠位端を制御するために前記舵取りワイヤと係合し、または前記舵取りワイヤとの係合を解くように構成された舵取り機構を有する、請求項２３に記載の栄養管配置システム。
【請求項２５】
前記光学システムが、前記栄養管のルーメン内に永続的に配置される、請求項１６に記載の栄養管配置システム。
【請求項２６】
前記光学システムがその中に配置された前記ルーメンが、前記ルーメンと流体連通した状態に配置された流体注入ポートを有する、請求項１６に記載の栄養管配置システム。
【請求項２７】
前記光学システムがその中に配置された前記ルーメンに沿って配置された偏向突起であり、前記光学システムの前記レンズの上に流体を誘導する偏向突起をさらに備える、請求項１６に記載の栄養管配置システム。
【請求項２８】
エンドキャップをさらに備え、前記偏向突起が前記エンドキャップ上に配置された、請求項２７に記載の栄養管配置システム。
【請求項２９】
栄養物および／または薬物を胃腸管内に送達するように機能可能な栄養管と、
遠位端に隣接する光を発する光源と、レンズとを含む光学システムと、
舵取りシステムとを備え、
前記光学システムおよび前記舵取りシステムが前記栄養管に組み込まれた
統合装置。
【請求項３０】
前記栄養管に可撓性の光ファイバが組み込まれた、請求項２９に記載の統合装置。
【請求項３１】
前記光学システムが画像表示構成要素を含む、請求項２９に記載の統合装置。
【請求項３２】
前記画像表示構成要素が電子式画面である、請求項３１に記載の統合装置。
【請求項３３】
前記画像表示構成要素および／または舵取り構成要素を、前記光学システムから取り外すことができる、請求項３２に記載の統合装置。
【請求項３４】
前記舵取りシステムが舵取り制御装置を含む、請求項２９に記載の統合装置。
【請求項３５】
前記舵取りシステムから前記舵取り制御装置を取り外すことができる、請求項３４に記載の統合装置。
【請求項３６】
胃腸管内の状態を治療するための装置であって、
少なくとも１つの開いたポートをその中に備える遠位端を有する細長いカテーテルと、
前記カテーテルの前記遠位端から、前記遠位端よりも近位側のあるセクションに沿って配置されたポートまで延びるルーメンであり、前記ポートが、胃腸系のある管の中に前記遠位端を配置することができる十分な距離だけ、前記カテーテルの遠位端から離隔されており、前記ポートが、前記患者の腸管内に配置されるルーメンと、
前記カテーテル内に配置された光学システムであり、前記遠位端に隣接する組織の画像を前記光学システムが伝送することができるような態様で、前記遠位端に隣接したある位置まで延びる光学システムとを備える装置。
【請求項３７】
前記光学システムが、前記カテーテル内に永続的に配置される、請求項３６に記載のカテーテル。
【請求項３８】
胃腸管内の病気を治療するためのカテーテルシステムであって、請求項３６に記載のカテーテルを備え、さらに、前記栄養管内の前記光学システムと連絡した状態に配置されるように構成された光源と、前記光学システムの一部分と連絡した状態に配置されるように構成された画像レンダリング装置であり、前記レンズに隣接する構造の画像を受け取る画像レンダリング装置とを備える制御ユニットを備えるカテーテルシステム。
【請求項３９】
栄養管を配置するためのシステムであって、
舵取り制御装置および表示画面を有する制御ユニットと、
遠位端を有する細長い本体を有する栄養管であり、前記遠位端に隣接する組織を照らし、画像を前記制御ユニットに伝送するように構成された光学システムと、前記遠位端を制御する舵取り機構とを含み、異なる時点において前記制御ユニットを前記栄養管上で繰り返し使用することができるように、前記制御ユニットに取外し可能に取り付けることができる栄養管とを備えるシステム。